(57)【要約】【課題】貯湯式温水器の膨張水の排出経路に、排水管からの汚水が逆流することのない温水器付き汚物流しユニットを提供する。【解決手段】貯湯タンク１６内で水を加熱する際に発生する膨張水は、過圧逃し弁８により膨張水排出管９から汚物流し器１４へと排出される。ここで、膨張水排出管９の排出口は、汚物流し器１４の満水時溢れ縁（図１の一点鎖線Ｃ面）より上方に位置している。このため、汚物流し器１４の汚水を排水管１５へ排水させる際に、汚物流し器１４から汚水が溢れてしまうようなことが万一あったとしても、膨張水排出管９に逆流することはない。【選択図】  図１
2004169405.tif 000002
【特許請求の範囲】
【請求項１】
壁面に取り付けられた汚物流し器と、前記汚物流し器に給湯するための水栓金具と、前記水栓金具に温水を供給するための貯湯式温水器と、前記貯湯式温水器からの膨張水を排出するための過圧逃し弁および膨張水排出管とを備えた温水器付き汚物流しユニットにおいて、前記膨張水排出管の排出口を、前記汚物流し器の満水時溢れ縁の上方に配置したことを特徴とする温水器付き汚物流しユニット。
【請求項２】
壁面に取り付けられた汚物流し器と、前記汚物流し器に給湯するための水栓金具と、前記水栓金具に温水を供給するための貯湯式温水器とを備え、前記貯湯式温水器からの膨張水を排出するための過圧逃し弁および膨張水排出管を前記貯湯式温水器に内蔵した温水器付き汚物流しユニットにおいて、前記膨張水排出管の排出口を、前記汚物流し器の満水時溢れ縁の上方に配置したことを特徴とする温水器付き汚物流しユニット。
【発明の詳細な説明】
【０００１】
【発明の属する技術分野】
本発明は、駅やビルのトイレなど、パブリック施設トイレ向けの温水器付き汚物流しユニットに関する。
【０００２】
【従来の技術】
従来の貯湯式温水器としては、図６に示すように、床面に据え置き状態で設置されるものが知られている（例えば、特許文献１参照）。図６において、給水源からの水は、給水管５５から貯湯タンク４６内に流入し、加熱ヒーター５３により沸き上げられる。沸き上げられた湯は、水栓金具６０の開栓操作により給湯管５４を通じて出湯される。また、貯湯タンク４６内で水を加熱する際に発生する膨張水は、過圧逃し弁８により膨張水排出管４９から排出されてホッパー５０に落下し、Ｕトラップ部５１および排水連結管５２を経て、配水本管５８へ排出される。
【０００３】
図７、図８、図９は、駅やビルのトイレなどの多目的トイレ（障害者用トイレ）に設置される汚物流し器に、従来の貯湯式温水器を設置した例であり、図７はその側面図、図８はその正面図（図７のＡ方向矢視）、図９はその背面図（図７のＢ方向矢視）である。近年、交通バリアフリー法の制定やハートビル法の改正により、多目的トイレでお湯が使える設備を設置する旨のガイドラインが出されたこともあって、お湯が使える多目的トイレが普及してきている。この種の多目的トイレにおいては、オストメイト（人口肛門保有者）やお年寄り、赤ちゃんを連れた母親がなどが、お湯を使うことで排泄物の処理を快適に行なうことができる。
【０００４】
図８に示すように、多目的トイレの壁面５６には壁掛け式の汚物流し器１４が設置されており、汚物流し器１４の側面には、フラッシュバルブ１２が給水管１３を介して接続されている。使用者がフラッシュバルブ１２のレバー２１を操作すると、給水管５（図７参照）、フラッシュバルブ１２、給水管１３を通じて汚物流し器１４内に所定量の水が流入し、汚物流し器１４内の汚物が、流入した水とともに排水管１５（図７参照）へ排出される。
【０００５】
また、図７に示すように、汚物流し器１４の上方の壁面５６には、湯水混合水栓１０が備えられており、使用者が湯水混合水栓１０を開栓すると、適温のお湯がスパウト部１１から出湯される。湯水混合水栓１０には、給水源からの水が給水管６を通して供給されるとともに、貯湯式電気温水器４０からの高温水が給湯管７を通して供給される。貯湯式電気温水器４０では、給水源からの水は、給水管１８から減圧弁１９を通して貯湯タンク４６内に流入し、加熱ヒーター５３により沸き上げられる。
【０００６】
また、図９に示すように、貯湯タンク４６内で水を加熱する際に発生する膨張水は、過圧逃し弁８により膨張水排出管４９から排出されてホッパー５０に落下し、Ｕトラップ部５１および排水連結管５２を経て、配水管１５へ排出される。
【０００７】
【特許文献１】
実開平５−４７７５３号公報（図４）
【０００８】
【発明が解決しようとする課題】
しかしながら、上記した従来例においては、ホッパー５０と配水管１５が（Ｕトラップ部５１および排水連結管５２を介して）接続されているため、フラッシュバルブ１２を作動させて汚物を排出する際に、排水管１５からホッパー５０に向かって汚水が逆流し、特に、排水量が多い場合には、ホッパー５０から汚水がオーバーフローする恐れがある、という問題があった。
【０００９】
本発明は、上記課題を解決するためになされたもので、本発明の目的は、貯湯式温水器の膨張水の排出経路に、排水管からの汚水が逆流することのない温水器付き汚物流しユニットを提供することにある。
【００１０】
【課題を解決するための手段およびその作用・効果】
上記目的を達成するために請求項１は、壁面に取り付けられた汚物流し器と、前記汚物流し器に給湯するための水栓金具と、前記水栓金具に温水を供給するための貯湯式温水器と、前記貯湯式温水器からの膨張水を排出するための過圧逃し弁および膨張水排出管とを備えた温水器付き汚物流しユニットにおいて、前記膨張水排出管の排出口を、前記汚物流し器の満水時溢れ縁の上方に配置した。よって、貯湯式温水器からの膨張水は、汚物流し器へ直接、その上方から排出されるので、排水管からの汚水が膨張水の排出経路に逆流することがない。また、ホッパーやＵトラップなどの部材も必要なくなる。
【００１１】
請求項２では、壁面に取り付けられた汚物流し器と、前記汚物流し器に給湯するための水栓金具と、前記水栓金具に温水を供給するための貯湯式温水器とを備え、前記貯湯式温水器からの膨張水を排出するための過圧逃し弁および膨張水排出管を前記貯湯式温水器に内蔵した温水器付き汚物流しユニットにおいて、前記膨張水排出管の排出口を、前記汚物流し器の満水時溢れ縁の上方に配置した。よって、貯湯式温水器からの膨張水は、汚物流し器へ直接、その上方から排出されるので、排水管からの汚水が膨張水の排出経路に逆流することがない。また、ホッパーやＵトラップなどの部材も必要なくなる。さらに、過圧逃し弁および膨張水排出管が貯湯式温水器に予め内蔵されているので、現場での設置工事も容易である。
【００１２】
【発明の実施の形態】
以下、本発明の実施の形態を、図面により詳細に説明する。図１、図２、図３は、本発明の汚物流しユニットの第一の実施例を示す図であり、図１はその側面図、図２はその正面図（図１のＡ方向矢視）、図３はその背面図（図１のＢ方向矢視）である。
【００１３】
図１に示すように、取り付け壁面３の前面には壁掛け式の汚物流し器１４が設置されている。この取り付け壁面３は、下部フレーム４、上部フレーム５７、背面フレーム２から成るフレーム枠に固定されている。フレーム枠の上部には天板１が固定されている。また、図２に示すように、汚物流し器１４の側面には、フラッシュバルブ１２が給水管１３を介して接続されている。使用者がフラッシュバルブ１２のレバー２１を操作すると、給水管５（図１参照）、フラッシュバルブ１２、給水管１３を通じて汚物流し器１４内に所定量の水が流入し、汚物流し器１４内の汚物が、流入した水とともに排水管１５（図１参照）へ排出される。
【００１４】
また、図１に示すように、汚物流し器１４の上方の取り付け壁面３には、湯水混合水栓１０が備えられており、使用者が湯水混合水栓１０を開栓すると、適温のお湯がスパウト部１１から出湯される。湯水混合水栓１０には、給水源からの水が給水管６を通して供給されるとともに、貯湯タンク１６からの高温水が給湯管７を通して供給される。貯湯タンク１６では、給水源からの水は、給水管１８から減圧弁１９を通して貯湯タンク１６内に流入し、図示しない加熱ヒーターにより沸き上げられる。この貯湯タンク１６は、図３に示すように、固定金具１７により取り付け壁面３に壁掛け固定されている。
【００１５】
また、図１に示すように、貯湯タンク１６内で水を加熱する際に発生する膨張水は、過圧逃し弁８により膨張水排出管９から汚物流し器１４へと排出される。ここで、膨張水排出管９の排出口は、汚物流し器１４の満水時溢れ縁（図１の一点鎖線Ｃ面）より上方に位置している。このため、汚物流し器１４の汚水を排水管１５へ排水させる際に、汚物流し器１４から汚水が溢れてしまうようなことが万一あったとしても、膨張水排出管９に逆流することはない。また、従来例で必要としていたホッパーやＵトラップなどの部材も必要ない。
【００１６】
図４は、本発明の汚物流しユニットの第二の実施例を示す側面図である。第一の実施例との違いは、過圧逃し弁８と膨張水排出管９を貯湯式温水器３０に内蔵している点、給水源からの水を給水管１８から貯湯式温水器３０に内蔵した減圧弁１９および給水導入管３２を通して貯湯タンク１６に供給している点、および貯湯式温水器３０を固定金具３１により取り付け壁面３の背面に壁掛け設置している点のみで、それ以外は同じである。この第二の実施例においても、第一の実施例と同様の効果を奏する。これに加え、過圧逃し弁８および膨張水排出管９が貯湯式温水器３０に予め内蔵されているので、現場での設置工事も容易である。
【００１７】
図５は、第二の実施例の変形例であり、汚物流し器１４の代わりに手洗い器４４を設置した例を示す側面図である。このように、汚物流し器１４、フラッシュバルブ１２、排水管１５などを手洗い器４４、排水管４５に置き換えれば、手洗い器ユニットを構成することもできる。
【図面の簡単な説明】
【図１】本発明の汚物流しユニットの第一の実施例の側面図
【図２】同正面図
【図３】同背面図
【図４】本発明の汚物流しユニットの第二の実施例の側面図
【図５】第二の実施例の変形例の側面図
【図６】従来の貯湯式温水器の設置例を示す図
【図７】従来の汚物流し器に貯湯式温水器を設置した例の側面図
【図８】同正面図
【図９】同背面図
【符号の説明】
１…天板
２…背面フレーム
３…取り付け壁面
４…下部フレーム
５…給水管
６…給水管
７…給湯管
８…過圧逃し弁
９…膨張水排出管
１０…湯水混合水栓
１１…スパウト部
１２…フラッシュバルブ
１３…給水管
１４…汚物流し器
１５…排水管
１６…貯湯タンク
１７…固定金具
１８…給水管
１９…減圧弁
２１…レバー
３０…貯湯式温水器
３１…固定金具
３２…給水導入管
４０…貯湯式電気温水器
４４…手洗い器
４５…排水管
４６…貯湯タンク
４９…膨張水排出管
５０…ホッパー
５１…Ｕトラップ部
５２…排水連結管
５３…加熱ヒーター
５４…給湯管
５５…給水管
５６…壁面
５７…上部フレーム
５８…配水本管
６０…水栓金具
【図１】
2004169405.tif 000003
【図２】
2004169405.tif 000004
【図３】
2004169405.tif 000005
【図４】
2004169405.tif 000006
【図５】
2004169405.tif 000007
【図６】
2004169405.tif 000008
【図７】
2004169405.tif 000009
【図８】
2004169405.tif 000010
【図９】
2004169405.tif 000011